(57)【要約】【課題】管材の軸心方向の移動を規制することのできる嵌合手段を有する管台を提供する。【解決手段】管材を支持する下側に位置するブロックの上部ブロック片Ａ１の上面Ａａ及びその上面Ａａに当接される管材を支持する上側に位置するブロックの下部ブロック片Ｂ１の下面Ｂａのいずれか一方の面には、両凹部４、７で挟持される管材の軸心方向Ｃに対して所定の角度を付して延びる直線状の第１の凹条溝５及びその第１の凹条溝５から所定距離だけ離れた位置に第１の突起６が設けられ、他方の面には、前記第１の凹条溝５内に摺動する第２の突起９及びその第２の突起９の摺動を許可する範囲で前記第１の突起６が摺動するように設けられている第２の凹条溝８が設けられている。【選択図】図２
2014070679.tif 000002
【特許請求の範囲】
【請求項１】
下部ブロック片に設けられている凹部と上部ブロック片に設けられている凹部とで管材の周囲を挟持して支持するブロックを複数個積層して構成される管台であって、
下側に位置する前記ブロックの上部ブロック片の上面と、その上面に当接される上側に位置する前記ブロックの下部ブロック片の下面と、が雄雌継手により嵌合されてなり、
その雄継手と雌継手は、前記管材の軸心方向に対して所定の角度を付した方向に沿って摺動することにより嵌合されることを特徴とする管台。
【請求項２】
前記上部ブロック片の上面及び前記ブロックの下部ブロック片の下面のいずれか一方の面には、
前記両凹部で挟持される管材の軸心方向に対して所定の角度を付して延びる直線状の第１の凹条溝及びその第１の凹条溝から所定距離だけ離れた位置に第１の突起が設けられ、
前記他方の面には、前記第１の凹条溝内に摺動する第２の突起及びその第２の突起の摺動を許可する範囲で前記第１の突起が摺動するように設けられている第２の凹条溝が設けられていることを特徴とする請求項１に記載の管台。
【請求項３】
前記上部ブロック片の上面及び前記ブロックの下部ブロック片の下面のいずれか一方の面には、
前記両凹部で挟持される管材の軸心方向に対して所定の角度を付して延びる直線状の第１の凹条溝及びその第１の凹条溝から所定距離だけ離れ、かつ、平行に設けられた凸条部が設けられ、
前記他方の面には、前記第１の凹条溝内に摺動する突起及びその突起がその第１の凹条溝内を摺動できるように前記凸条部が摺動される直線状の第２の凹条溝が設けられている  ことを特徴とする請求項１に記載の管台。
【請求項４】
前記上部ブロック片の上面及び前記ブロックの下部ブロック片の下面のいずれか一方の面には、
前記一方の面の中心位置を中心とした所定の半径を有する円上の一部に沿って設けられた円弧状の第１の凹条溝及びその第１の凹条溝に対向し、かつ、その所定の円上の一部に沿って設けられた円弧状の凸条部が設けられ、
前記他方の面には、前記第１の凹条溝内に摺動する突起及びその突起がその第１の凹条溝内で摺動ができるように前記第１の凹条溝に摺動される円弧状の第２の凹条溝が設けられていることを特徴とする請求項１に記載の管台。
【発明の詳細な説明】
【技術分野】
【０００１】
本発明は管台に係り、特に、地中に埋設される電線を保護する地中埋設管を支持するのに好適な管台に関する。
【背景技術】
【０００２】
従来、この種の管台は、地中埋設管等の管材の軸心方向と直交する方向に縦断したときに表れる円の下半分に相当する凹部を有する下部ブロック片と、この下部ブロック片の天地を逆にした関係を有する、上記円の上半分に相当する凹部を有する上部ブロック片とで管材を挟持する一つのブロックを構成している。そして、このブロックにおける管材の支持状態は、下部ブロック片の凹部に管材を載せるとともに、その管材の上に上部ブロック片の凹部を被せた形態を呈している。
【０００３】
ところで、管材が電線を保護する地中埋設管の場合は、通常、複数本同時に埋設されるので、この場合の管台は、上述したブロックの上に他のブロックを積層した構成となり、複数のブロックで複数本の地中埋設管を支持するようにしている。このブロックの積層の際には、下部のブロックが上部のブロックを確実に支持できるように、下部のブロックの上面と、この上面に当接される上部のブロックの下面には、互いに嵌め合う嵌合手段が設けられている。
【０００４】
上記嵌合手段として、特許文献１では、下部のブロックの上面及びこの上面に当接される上部のブロックの下面のいずれか一方の面に、そのブロックに載置される管材の軸心方向に延びる凸条体を設け、他方の面にその凸条体が嵌合する凹条体を設けている。したがって、一方の面に設けられている凸条体に他方の面に設けられている凹条体を嵌合すると、下部のブロックの上面に上部のブロックの下面が載置されて管台を構成することができる。
【先行技術文献】
【特許文献】
【０００５】
【特許文献１】特開平１０−２２７３７４号公報
【発明の概要】
【発明が解決しようとする課題】
【０００６】
しかしながら、上述した下部のブロックの上面及びこの上面に当接される上部のブロックの下面のいずれか一方の面に凸条体を設けるとともに、他方の面に凹条体を設けて構成されるブロックからなる管台は、凸条体及び凹条体の嵌合が管材の軸心方向に移動して行われるので、管材を支持した状態でも凸条体又は凹条体の軸心方向に移動できるから、何らかの原因によりその移動が起こると、凸条体及び凹条体の嵌合状態が外れ、上側のブロックが下側のブロック上から外れて管材の支持に支障を来たすおそれがあった。
【０００７】
そこで、本発明は、上述する問題点に鑑みてなされたもので、管材の軸心方向の移動を規制することのできる嵌合手段を有する管台を提供することを目的としている。
【課題を解決するための手段】
【０００８】
本発明に係る管台は、上記目的を達成するために、下部ブロック片に設けられている凹部と上部ブロック片に設けられている凹部とで管材の周囲を挟持して支持するブロックを複数個積層して構成される管台であって、下側に位置する前記ブロックの上部ブロック片の上面と、その上面に当接される上側に位置するブロックの下部ブロック片の下面と、が雄雌継手により嵌合されてなり、その雄継手と雌継手は、管材の軸心方向に対して所定の角度を付した方向に沿って摺動することにより嵌合されることを特徴としている。
【０００９】
また、本発明に係る管台は、上部ブロック片の上面及びブロックの下部ブロック片の下面のいずれか一方の面には、両凹部で挟持される管材の軸心方向に対して所定の角度を付して延びる直線状の第１の凹条溝及びその第１の凹条溝から所定距離だけ離れた位置に第１の突起が設けられ、他方の面には、第１の凹条溝内に摺動する第２の突起及びその第２の突起の摺動を許可する範囲で第１の突起が摺動するように設けられている第２の凹条溝が設けられていることを特徴としている。
【００１０】
上記構成からなる管台は、上部ブロック片及び下部ブロック片を用いて、上段のブロック及び下段のブロックからなる管台を構成した場合は、上段のブロックの下部ブロック片の下面と、下段のブロックの上部ブロック片の上面との嵌合構造が管材の軸心方向に移動できないので、上側のブロックが下側のブロック上から外れるのを効果的に防止することができる。
【００１１】
また、本発明に係る管台は、上部ブロック片の上面及びブロックの下部ブロック片の下面のいずれか一方の面には、両凹部で挟持される管材の軸心方向に対して所定の角度を付して延びる直線状の第１の凹条溝及びその第１の凹条溝から所定距離だけ離れ、かつ、平行に設けられた凸条部が設けられ、他方の面には、第１の凹条溝内に摺動する突起及びその突起がその第１の凹条溝内を摺動できるように凸条部が摺動される直線状の第２の凹条溝が設けられていることを特徴としている。
【００１２】
上記構成からなる上部ブロック片及び下部ブロック片を用いた管台は、嵌合構造が管材の軸心方向に移動できないので、上側のブロックが下側のブロック上から外れるのを効果的に防止することができる。
【００１３】
また、本発明に係る管台は、上部ブロック片の上面及びブロックの下部ブロック片の下面のいずれか一方の面には、一方の面の中心位置を中心とした所定の半径を有する円上の一部に沿って設けられた円弧状の第１の凹条溝及びその第１の凹条溝に対向し、かつ、その所定の円上の一部に沿って設けられた円弧状の凸条部が設けられ、他方の面には、第１の凹条溝内に摺動する突起及びその突起がその第１の凹条溝内で摺動ができるように第１の凹条溝に摺動される円弧状の第２の凹条溝が設けられていることを特徴としている。
【００１４】
上記構成からなる上部ブロック片及び下部ブロック片を用いた管台は、嵌合構造が管材の軸心方向に移動できないので、上側のブロックが下側のブロック上から外れるのを効果的に防止することができる。
【発明の効果】
【００１５】
本発明に係る管台は、下側のブロックの上部ブロック片の上面及び上側のブロックの下部ブロック片の下面の嵌合構造が管材の軸心方向に移動できないので、上側のブロックが下側のブロック上から外れるのを効果的に防止することができる。
【図面の簡単な説明】
【００１６】
【図１】本発明の第１の実施の形態による管台を用いて管材を支持した状態の斜視図である。
【図２】本発明の第１の実施の形態の管台による上部ブロック片及び上部ブロックの斜視図である。
【図３】本発明の第１の実施の形態の管台による設置用スペーサの斜視図である。
【図４】本発明の第１の実施の形態の管台による天井用スペーサの斜視図である。
【図５】本発明の第２の実施の形態の管台による上部ブロック片及び上部ブロックの斜視図である。
【図６】本発明の第３の実施の形態の管台による上部ブロック片及び上部ブロックの斜視図である。
【発明を実施するための形態】
【００１７】
以下、本発明による管台の実施の形態について図面を用いて説明する。なお、本発明は、この実施の形態により限定されるものではなく、また、下記の実施の形態における構成要素には、当業者が置換可能かつ容易なもの、あるいは実質的に同一ものも含まれる。
【００１８】
（第１の実施の形態）
図１は、本発明の第１の実施の形態による管台１を用いて管材Ｐ１、Ｐ２を支持した状態の斜視図であって、この管台１は、ポリ塩化ビニルやポエチレン等の合成樹脂製からなり、上段のブロック１ａ、下段のブロック１ｂ、設置用スペーサ２及び天井用スペーサ３で構成されている。
【００１９】
なお、管材が電線を保護する地中埋設管の場合は、電線が３本以上敷設されることが多く、したがって管材も敷設される電線数に合わせて多くなるが、ここでは、説明を簡単にするために、上下に配される２本の管材Ｐ１、Ｐ２が示されている。
【００２０】
上段のブロック１ａ等について説明する前に、図１に示される管台１の全体的な形状について説明する。この管台１は、第１管材Ｐ１を支持する上段のブロック１ａを有するとともに、その上段のブロック１ａの下側に位置する第２管材Ｐ２を支持する下段のブロック１ｂから構成されている。なお、この上段のブロック１ａは、本発明の「上側に位置するブロック」に相当し、下段のブロック１ｂは、本発明の「下側に位置するブロック」に相当している。
【００２１】
下段のブロック１ｂの下側には、設置用スペーサ２が設けられ、また、上段のブロック１ａの上側には、天井用スペーサ３が設けられている。なお、第１管材Ｐ１の支持において、その第１管材Ｐ１の上方を覆う必要がない場合は、天井用スペーサ３及び上段のブロック１ａの後述する上部ブロック片Ａ１を省略することができる。
【００２２】
本実施の形態の管台１の特徴は、図１中の上段のブロック１ａ及び下段のブロック１ｂの当接面、すなわち、上段のブロック１ａの下面及び下段のブロック１ｂの上面の当接面の構造にある。この構造については、各ブロック１ａ、１ｂの説明で明らかになる。
【００２３】
以下、上段のブロック１ａ及び下段のブロック１ｂについて説明する。これらブロック１ａ，１ｂは、共に上部ブロック片Ａ１及び下部ブロック片Ｂ１で構成されている。
【００２４】
図２は、上部ブロック片Ａ１及び下部ブロック片Ｂ１の斜視図である。この図２において、下部ブロック片Ｂ１は、上部ブロック片Ａ１に当接される面の構造の理解を容易にするために、その当接される面（下面Ｂａ）を上にして示されている。なお、上部ブロック片Ａ１は、図１中の上部ブロック片Ａ１の姿勢に一致している。
【００２５】
先ず、上部ブロック片Ａ１から説明すると、この上部ブロック片Ａ１の全体形状は直方体を呈していて、その直方体の下部中央部分に管材Ｐ１、Ｐ２（管材Ｐ１、Ｐ２は同一形状であるので、以下、第１管材Ｐ１を例に説明する。）の軸心方向Ｃと直交する方向に縦断したときに表れる円の上半分に相当する形状の凹部４が設けられている。
【００２６】
上部ブロック片Ａ１の上面Ａａには、この上部ブロック片Ａ１の凹部４と後述する下部ブロック片Ｂ１の凹部７で挟持される第１管材Ｐ１の軸心方向Ｃに対して所定の角度を付して延びる直線状の凹条溝５（第１の凹条溝）が設けられている。また、この上部ブロック片Ａ１の上面Ａａには、凹条溝５から所定距離だけ離れた位置に円状の突起６（第１の突起）が設けられている。なお、本実施の形態で上部ブロック片Ａ１の凹部４及び下部ブロック片Ｂ１の凹部７で第１管材Ｐ１を挟持するというときは、両凹部４、７を合わせたときに形成される円状の空間内に第１管材Ｐ１を軸心方向Ｃに沿って自由に出し入れできる状態も含んでいる。
【００２７】
次に、下部ブロック片Ｂ１について説明する。この下部ブロック片Ｂ１の全体形状は直方体を呈していて、その直方体の下部中央部分に第１管材Ｐ１の軸心方向Ｃと直交する方向に縦断したときに表れる円の上半分に相当する形状の凹部７が設けられている。この凹部７は、上部ブロック片Ａ１と組み合わされて使用されたとき、すなわち、図１に示されるように、図２の下部ブロック片Ｂ１が天地を逆にして使用されたときは、上部ブロック片Ａ１の凹部４と協同して第１管材Ｐ１を挟持する円状の空間が形成される。
【００２８】
下部ブロック片Ｂ１の下面Ｂａには、逆Ｌ字状の凹条溝８（第２の凹条溝）及び円状の突起９（第２の突起）が設けられている。逆Ｌ字状の凹条溝８は、上部ブロック片Ａ１の突起６が摺動できるように構成され、突起９は上部ブロック片Ａ１に設けられている凹条溝５内で摺動できるように構成されている。
【００２９】
上部ブロック片Ａ１に設けられている凹条溝５及び突起６と、下部ブロック片Ｂ１に設けられる凹条溝８及突起９との位置関係は、下部ブロック片Ｂ１が図２に矢印ａに示されるように天地を逆にし、上部ブロック片Ａ１に設けられている凹条溝５内に下部ブロック片Ｂ１に設けられている突起９が摺動するときに（図２の矢印ｂ参照）、上部ブロック片Ａ１に設けられている突起６が下部ブロック片Ｂ１に設けられている凹条溝８内を摺動できるように決められている（図２の矢印ｃ参照）。
【００３０】
上部ブロック片Ａ１に設けられている凹条溝５及び突起６と下部ブロック片Ｂ１に設けられる凹条溝８及び突起９、６との嵌合は、上部ブロック片Ａ１に設けられている凹部４又は下部ブロック片Ｂ１の凹部７に第１管材Ｐ１が挿入されている状態では第１管材Ｐ１の軸心方向Ｃの移動が禁止されるためにできず、したがって凹部４又は凹部７に第１管材Ｐ１が配設前にしか嵌合ができない特徴を有している。そして、上述の嵌合が行われた後に、凹部４又は凹部７に第１管材Ｐ１が配設さているときは、凹条溝５の延在方向が第１管材Ｐ１の軸心方向Ｃと角度を有しているので嵌合状態が解除されることがなくなる。このような嵌合状態は、上部ブロック片Ａ１及び下部ブロック片Ｂ１の形状を逆にした場合も同様に得ることができる。すなわち、上部ブロック片Ａ１に設けられている凹条溝５及び突起６を下部ブロック片Ｂ１に設け、下部ブロック片Ｂ１に設けられる凹条溝８及突起９を上部ブロック片Ａ１に設けても同様に得ることができる。
【００３１】
なお、第１管材Ｐ１を挟持している上部ブロック片Ａ１の下面Ａｂと、下部ブロック片Ｂ１の上面Ｂｂとが当接する面は、周知の管台と同様に、その当接する面の一方の面には、図示しないが凸が設けられているとともに、他方の面には、その凸に嵌合される凹に形成されている。したがって、第１管材Ｐ１を挟持した状態で上部ブロック片Ａ１及び下部ブロック片Ｂ１がずれることはない。
【００３２】
図３に示される設置用スペーサ２は、図２に示される上部ブロック片Ａ１から凹部４を除去し、その除去部分をフラットにした形状を呈している。そして、その上面には、上部ブロック片Ａ１の上面に設けられていると凹条溝５と同様の凹条溝５ａ及び突起６と同様の突起６ａが設けられている。したがって、この設置用スペーサ２は、下段のブロック１ｂの下側に位置する下部ブロック片Ｂ１に嵌合させることができる。
【００３３】
図４に示される天井用スペーサ３は、図２に示される下部ブロック片Ｂ１から凹部７を除去し、その除去部分をフラットにした形状を呈している。そして、その上面には、下部ブロック片Ｂ１の上面に設けられている凹条溝８と同様の凹条溝８ａ及び突起９と同様の突起９ａが設けられている。したがって、この天井用スペーサ３は、上段のブロック１ａの上側に位置する上部ブロック片Ａ１に嵌合させることができる。
【００３４】
図１に示されるように、下段のブロック１ｂの下側には、設置用スペーサ２が設けられ、また、上段のブロック１ａの上側には、天井用スペーサ３が設けられている。なお、天井用スペーサ３を必要としない場合は、天井用スペーサ３は省略され、また、第１管材Ｐ１の支持において、その第１管材Ｐ１の上方を覆う必要がない場合は、上段のブロック１ａの上部ブロック片Ａ１も省略される。
【００３５】
上記構成からなる上部ブロック片Ａ１及び下部ブロック片Ｂ１を用いて、図１に示される上段のブロック１ａ及び下段のブロック１ｂからなる管台１を構成した場合は、上段のブロック１ａの下部ブロック片Ｂ１の下面Ｂａと、下段のブロック１ｂの上部ブロック片Ａ１の上面Ａａとの嵌合構造が第１管材Ｐ１の軸心方向Ｃに移動できないので、上側のブロック１ａが下側のブロック１ｂ上から外れるのを効果的に防止することができる。
【００３６】
（第２の実施の形態）
図５は、本発明の第２の実施の形態による管台に係る上部ブロック片Ａ２及び下部ブロック片Ｂ２の斜視図である、これら上部ブロック片Ａ２及び下部ブロック片Ｂ２の嵌合構造以外は、上述した上部ブロック片Ａ１及び下部ブロック片Ｂ１を用いた管台１と同様である。したがって、上部ブロック片Ａ２及び下部ブロック片Ｂ２の嵌合構造以外についての説明は省略する。
【００３７】
上部ブロック片Ａ２の上面Ａａには、その上面の中心位置Ｏを中心とした所定の半径を有する円上の一部に沿って設けられた円弧状の凹条溝１５（第１の凹条溝）及びその凹条溝１５に対向し、かつ、その所定の円上の一部に沿って設けられた円弧状の凸条部１６が設けられている。
【００３８】
下部ブロック片Ｂ２の下面Ｂａには、上部ブロック片Ａ２の凹条溝１５内に摺動する突起１９及びその突起１９がその凹条溝１５内で摺動ができるように形成された円弧状の凹条溝１８（第２の凹条溝）が設けられている。すなわち、突起１９及び凹条溝１８は、下部ブロック片Ｂ２の下面Ｂａの中心位置Ｏを中心とした円上に設けられている。
【００３９】
上部ブロック片Ａ２に設けられている凹条溝１５及び突状部１６と、下部ブロック片Ｂ２に設けられる凹条溝１８及突起１９との位置関係は、下部ブロック片Ｂ２が図５に矢印ａに示されるように天地を逆にし、上部ブロック片Ａ２に設けられている凹条溝１５内に下部ブロック片Ｂ２に設けられている突起１９が摺動するときに（図５の矢印ｂ参照）、上部ブロック片Ａ２に設けられている突状部１６が下部ブロック片Ｂ２に設けられている凹条溝１８内を摺動できるように決められている（図５の矢印ｃ参照）。これにより、上部ブロック片Ａ２の上面Ａａの中心位置Ｏと、下部ブロック片Ｂ２の下面Ｂａの中心位置Ｏとを合わせた状態で下部ブロック片Ｂ２を回動させると、上部ブロック片Ａ２と下部ブロック片Ｂ２とを嵌合させることができる。
【００４０】
上記構成からなる部ブロック片Ａ２及び下部ブロック片Ｂ２を用いた管台においても、嵌合構造が第１管材Ｐ１の軸心方向Ｃに移動できないので、図１に示される上側のブロック１ａが下側のブロック１ｂ上から外れるのを効果的に防止することができる。
【００４１】
（第３の実施の形態）
図６は、本発明の第３の実施の形態による管台に係る上部ブロック片Ａ３及び下部ブロック片Ｂ３の斜視図である、これら上部ブロック片Ａ３及び下部ブロック片Ｂ３の嵌合構造以外は、上述した上部ブロック片Ａ１及び下部ブロック片Ｂ１を用いた管台１と同様である。したがって、上部ブロック片Ａ３及び下部ブロック片Ｂ３の嵌合構造以外についての説明は省略する。
【００４２】
上部ブロック片Ａ３の上面Ａａには、第１管材Ｐ１の軸心方向Ｃに対して所定の角度を付して延びる直線状の凹条溝２５（第１の凹条溝）、及びその凹条溝２５から所定距離だけ離れ、かつ、平行に設けられた凸条部２６が設けられている。
【００４３】
下部ブロック片Ｂ３の上面には、第１管材Ｐ１の軸心方向Ｃに対して所定の角度を付して延びる直線状の凹条溝２８（第２の凹条溝）、及びその凹条溝２８から所定距離だけ離れた位置に設けられ、上部ブロック片Ａ３の凹条溝２５内を摺動できる突起２９が設けられている。
【００４４】
上部ブロック片Ａ３に設けられている凹条溝２５及び突状部２６と、下部ブロック片Ｂ２に設けられる凹条溝２８及突起２９との位置関係は、下部ブロック片Ｂ２が図５に矢印ａに示されるように天地を逆にし、上部ブロック片Ａ３に設けられている凹条溝２５内に下部ブロック片Ｂ３に設けられている突起２９が摺動するときに（図６の矢印ｂ参照）、上部ブロック片Ａ３に設けられている突状部２６が下部ブロック片Ｂ３に設けられている凹条溝２８内を摺動できるように決められている（図６の矢印ｃ参照）。
【００４５】
上記構成からなる部ブロック片Ａ３及び下部ブロック片Ｂ３を用いた管台においても、嵌合構造が第１管材Ｐ１の軸心方向Ｃに移動できないので、図１に示される上側のブロック１ａが下側のブロック１ｂ上から外れるのを効果的に防止することができる。
【００４６】
以上、本発明による管台の実施の形態について説明したが、本発明は上記の実施の形態に限定されるものではなく、その趣旨を逸脱しない範囲で適宜変更可能である。
【００４７】
なお、上述の例では、管材は電線を保護する地中埋設管としたが他の用途の管材とすることもできる。また、上述の例では、管材は２本としたが、管材が３本の場合は上段のブロック１ａの上にもう一つのブロックが載置され、また、管材が６本の場合は、３段に積層されたブロック群の隣に３段に積層されたブロック群が併設される。
【００４８】
その他、本発明の趣旨を逸脱しない範囲で、上記した実施の形態における構成要素を周知の構成要素に置き換えることは適宜可能である。
【符号の説明】
【００４９】
Ｐ１、Ｐ２  管材
１  管台
１ａ  上段のブロック（上側に位置するブロック）
１ｂ  下段のブロック（下側に位置するブロック）
２  設置用スペーサ
３  天井用スペーサ
４  凹部
５  凹条溝（第１の凹条溝）
５ａ  凹条溝
６  突起（第１の突起）
６ａ  突起
７  凹部
８  凹条溝（第２の凹条溝）
８ａ  凹条溝
９  突起（第２の突起）
９ａ  突起
１５  凹条溝（第１の凹条溝）
１６  突条部
１８  凹条溝（第２の凹条溝）
１９  突起
２５  凹条溝（第１の凹条溝）
２６  突状部
２８  凹条溝（第２の凹条溝）
２９  突起（第２の突起）
Ａ１、Ａ２、Ａ３  上部ブロック片
Ｂ１、Ｂ２、Ｂ３  下部ブロック片
Ｃ  管材の軸心方向
Ｏ  ブロック片の中心位置
【図１】
2014070679.tif 000003
【図２】
2014070679.tif 000004
【図３】
2014070679.tif 000005
【図４】
2014070679.tif 000006
【図５】
2014070679.tif 000007
【図６】
2014070679.tif 000008